(57)【要約】【課題】電力変換装置の出力電圧の高電圧化による大型化、信頼性低下やコストＵＰでの課題を解決すること。【解決手段】多相電源（Ｙ結線電源）に接続され、各相と中性線間に整流手段をもうけ出力を断続動作を行うチョッパ手段１０５とインダクタンス手段１０６とを備え、インダクタンス手段１０５の出力を第二の整流手段１０７、１０８を介して相数分だけ同一の負荷に接続することにより、電源力率改善部品が大幅に減少するとともに出力電圧を昇降圧することが可能となり、システムの小型化、低コスト化、高信頼性、適用機器の高効率化が実現できる。【選択図】図１
2010172151.tif 000002
【特許請求の範囲】
【請求項１】
中性線を有するＹ結線の多相交流電源に接続され、各相と中性線間それぞれに整流手段と前記整流手段からの出力を断続動作を行うチョッパ手段と前記チョッパ手段による制限電流が流れるインダクタンス手段とを備え、前記インダクタンス手段の出力を第二の整流手段を介して、同一の負荷に接続したことを特徴とする多相コンバータ回路を具備した電力変換装置。
【請求項２】
多相交流の相数だけ存在する前記チョッパ手段の断続動作を同じタイミングで行うことを特徴とする請求項１に記載の電力変換装置。
【請求項３】
中性線を有するＹ結線の多相交流電源に接続され、各相と中性線間それぞれに整流手段と前記整流手段からの出力を断続動作行うチョッパ手段と前記チョッパ手段による制限電流が流れるインダクタンス手段とを備え、前記インダクタンス手段の出力を第二の整流手段を介して同一の負荷に接続した多相コンバータ回路において、出力電圧指示手段と出力電圧検出手段を具備し、その差分からの帰還信号により前記チョッパ手段の断続動作を行う駆動信号を発生する電圧制御手段を具備したことを特徴とする多相コンバータ回路を具備した電力変換装置。
【請求項４】
請求項１および請求項３におけるコンバータ回路の負荷が、電動機を負荷とするインバータ装置であることを特徴とする電力変換装置。
【請求項５】
前記負荷における電動機およびインバータ装置の構成要素のうち少なくとも一つの構成要素において、その構成要素の耐圧が多相電源の瞬時最大電圧値よりも低い部品で構成され、かつ前記コンバータ回路の動作が降圧動作に限定する動作電圧制御手段を具備したことを特徴とする請求項４に記載の電力変換装置。
【請求項６】
請求項１および請求項３におけるコンバータ回路の負荷が、圧縮機駆動用の電動機を負荷とするインバータ装置を具備した空気調和機。
【発明の詳細な説明】
【技術分野】
【０００１】
本発明はＹ結線多相交流電源に対応した電力変換装置に関するものである。
【背景技術】
【０００２】
従来、この種の電力変換装置における３相コンバータ回路はいわゆる１石電圧不連続モード−ＰＦＣコンバータで構成している（例えば、非特許文献１参照）。
【０００３】
図９は、非特許文献１に記載された従来の１石電圧不連続モード−ＰＦＣコンバータを示すものである。図９に示すように、３相交流電源１と、３相整流手段（ダイオードブロック）２と、スイッチ手段３と、出力電力平滑用インダクタンス４と、直列共振電流を流すインダクタンス５および容量６と、回生電流を流すダイオード７および平滑容量（コンデンサ）８から構成されている。
【非特許文献１】Ｙａｎｇｔａｃｋ  Ｊａｎｇ，ｅｔ  ａｌ，”Ａ  Ｎｅｗ  Ｓｉｎｇｋｅ−Ｓｗｉｔｃｈ  Ｔｈｒｅｅ−Ｐｈａｓｅ  Ｈｉｇｈ−Ｐｏｗｅｒ−ＦａｃｔｏｒＲｅｃｔｉｆｉｅｒｓ  ｕｓｉｎｇ  Ｍｕｌｔｉｒｅｓｏｎａｎｔ  Ｚｅｒｏ  Ｃｕｒｒｅｎｔ  Ｓｗｉｔｃｈｉｎｇ”，ＩＥＥＥ  Ｔｒａｎｓ．  Ｏｎ  Ｐｏｗｅｒ  Ｅｌｅｃｔｒｏｎｉｃｓ，ＰＥ−１３，Ｎｏ．１，１９４／２０１（１９９８）
【発明の開示】
【発明が解決しようとする課題】
【０００４】
しかしながら、前記従来の構成では、基本的に３相電源の線間電圧を全波整流するものであり、インダクタンス５および容量６は電源に発生する高次の電源電流成分を低減化するものとなっているが、負荷に供給する電源電圧は３相線間電圧のピーク値電圧に相当する電圧が発生していた。すなわち線間電圧がＡＣ４００Ｖであれば、（波高値として４００√２Ｖ）が負荷に印加され、結果的に構成部品が高耐圧化し、電極間距離や強固な絶縁構造が必要となり大型化し、さらには信頼性面やコスト面での課題を有していた。
【０００５】
本発明は、前記従来の課題を解決するもので、Ｙ結線電源対応のコンバータでありながら電源電圧以下のコンバータ出力と高効率な電源力率を実現するとした電力変換装置を提供することを目的とする。
【課題を解決するための手段】
【０００６】
前記従来の課題を解決するために、本発明の電力変換装置のコンバータ回路は、それぞれ各相と中性線間に独立した整流手段と前記整流手段からの出力を所定の周期で断続動作を行うチョッパ手段と前記チョッパ手段による制限電流が流れるインダクタンス手段とを備え、前記インダクタンス手段の出力を第二の整流手段を介して同一の負荷に接続したものである。
【０００７】
これによって、３相Ｙ結線電源でありながら、線間電圧ではなく中性線と各相間電圧（線間電圧値に対して中性線−相電圧は１／√３電圧）からのチョッパ手段による降圧動作により、３相線間電圧のピーク値電圧に相当する電圧よりも低い電圧を負荷に出力することができる。また、独立した３相分の電源出力を出力段における第二の整流手段を介して、電流合成することで３相分の電力を効果的に活用でき、負荷および電源電流が連続的に活用できるので、電源力率も高い電力変換装置を提供できる。（３相でなくても、さらに多くの多相交流でも同様の効果を得ることができるが、以下本発明の説明は３相交流の場合を用いて説明を行う）
また、本発明の電力変換装置は、各相それぞれと中性線間に独立した整流手段と前記整
流手段からの出力を断続動作行うチョッパ手段と前記チョッパ手段による電流が流れるインダクタンス手段とを備え、前記インダクタンス手段の電流出力を第二の整流手段を介して同一の負荷に接続した多相コンバータ回路において、出力電圧指示手段と出力電圧検出手段を具備し、その差分からの帰還制御による前記チョッパ手段の駆動信号を発生する電圧制御手段を具備したものである。
【０００８】
これによって、負荷に印加される電圧を設定値に対して、所定の電圧に安定した電力は変換を具現化できるものとなる。
【０００９】
また、本発明の電力変換装置は、コンバータ回路の負荷が、空気調和機における圧縮機駆動用電動機を負荷とするインバータ装置としたものであり、３相Ｙ結線電源に接続されたインバータ駆動の空気調和機におけるコンバータ回路である。
【００１０】
これによって、従来３相Ｙ結線電源で駆動される空気調和機において、電源力率改善のために必要としていた種々の構成が大幅に減少するとともに、インバータ回路および電動機の駆動電圧を低下させることが可能となり、構成要素の小型化、低コスト化、高信頼性が実現できる。
【発明の効果】
【００１１】
本発明の電力変換装置は、３相Ｙ結線でありながらコンバータ出力電圧を小型化、低電圧化により低コスト化、高信頼性かつ容易な制御性を具現化することができる。
【発明を実施するための最良の形態】
【００１２】
第１の発明は、中性線を具備した多相電源（Ｙ結線電源）に接続され、それぞれ各相と中性線間に独立した整流手段と前記整流手段からの出力を所定の周期で断続動作を行うチョッパ手段と前記チョッパ手段による制限電流が流れるインダクタンス手段とを備え、前記インダクタンス手段の出力を第二の整流手段を介して同一の負荷に接続とすることにより、チョッパ手段動作により負荷への出力電圧を制御可能となり、電源電圧の最大波高値電圧以下の出力電圧を供給することができる。
【００１３】
第２の発明は、特に第１の発明におけるチョッパ手段すべての断続動作を同じタイミングで行うことにより、単一のチョッパ手段の駆動回路でチョッパ手段を駆動可能となり、制御性、小型化、低コスト化を実現することができる。
【００１４】
第３の発明は、中性線を具備した多相電源（Ｙ結線電源）に接続されたコンバータ回路において、各相それぞれと中性線間に独立した整流手段と前記整流手段からの出力を断続動作を行うチョッパ手段と前記チョッパ手段による電流が流れるインダクタンス手段とを備え、前記インダクタンス手段の電流出力を第二の整流手段を介して同一の負荷に接続した多相コンバータ回路において、出力電圧指示手段と出力電圧検出手段を具備し、その差分からの帰還制御による前記チョッパ手段の駆動信号を発生する電圧制御手段を具備することにより、負荷における電圧制御をチョッパ手段における断続動作を制御することが可能となり、出力電圧の安定性、制御を容易に実現することができる。
【００１５】
第４の発明は、特に第１の発明および第３の発明におけるコンバータ回路の出力において電動機を負荷とするインバータ装置に供給することにより、３相入力でのインバータ駆動装置におけるコンバータ回路を小型・容易に構成することが可能となり、インバータ装置を小型化することができる。
【００１６】
第５の発明は、特に負荷回路における電動機およびインバータ装置の構成要素（部品）において耐圧仕様が多相電源の瞬時最大電圧値よりも低い部品で構成され、コンバータ回
路の動作が降圧動作に限定する動作電圧制御手段を具備することにより、負荷となるインバータ構成部品や電動機における電圧仕様を多相電源電圧に関係なく選択することが可能となり、構成部品の低価格化・実装省スペース化・高信頼性を実現することができる。
【００１７】
第６の発明は、特に第１の発明および第３の発明におけるコンバータ回路を空気調和機に適用することにより、圧縮機駆動用の電動機などを負荷とするインバータ装置（いわゆる電装品）を小型化することが可能となり、限られた室外機のスペースにおいて送風回路や熱交換器を効率よく大型化することができ製品としてのシステム効率を高めることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における電力変換装置の主要回路図を示すものである。
【００２０】
図１において、１００は３相４線式電源（３相Ｙ結線）であり、電源供給源である。インダクタンス１０１ａ、１０１ｂ、１０１ｃおよび容量１０２ａ、１０２ｂ、１０２ｃは、ノイズフィルタを構成している。また、１０３ａ、１０３ｂ、１０３ｃは各相Ｒ，Ｓ，Ｔと中性線Ｎとの間に設けられたコンバータ回路である。たとえば、Ｒ相と中性線Ｎとの間に位置するコンバータ回路１０３ａは、４個ダイオードから構成される単相全波整流ブリッジ回路１０４ａとその正出力に設けられたチョッパ手段としてのトランジスタ１０５ａ、またそのトランジスタ１０５ａの出力には単相全波整流ブリッジ回路１０４ａの負端子間にインダクタンス１０６ａが接続され、またダイオード１０７ａのカソードが接続されている。また、インダクタンス１０６ａと単相全波整流ブリッジ回路１０４ａのＮ端子にはさらにダイオード１０８ｂのアノードが接続されている。
【００２１】
以下同様に、Ｓ相、Ｔ層におけるコンバータ回路１０３ｂ、１０３ｃも同様に構成されている。それぞれ、ダイオード１０７ａ、１０７ｂ、１０７ｃのアノード端子とダイオード１０８ａ，１０８ｂ、１０８ｃのカソードはそれぞれ平滑用コンデンサ１０９の端子に接続されている。このブロック構成がコンバータ回路を構成するが、図１においては、コンバータ回路の負荷装置として、インバータ回路１１０およびインバータ１１０で駆動される電動機１１１が構成されている場合を示している。
【００２２】
以上のように構成された電力変換装置について、以下その動作・作用を説明する。
【００２３】
まず、図１において、３相４線式電源（３相Ｙ結線）１００は、３相４線式電源を構成している。その出力はＲ、Ｓ，Ｔ、Ｎである。たとえば、平衡電力供給時には、各Ｒ，Ｓ，ＴとＮ間をＡＣ２３０Ｖとすると、各相間電圧はおよそＡＣ４００Ｖ（＝２３０√３Ｖ）となる。このために、このＡＣ４００Ｖに対して全波整流を施すと、約ＤＣ５６５Ｖの電圧を負荷に印加することになる。一方、ＡＣ２３０Ｖでの全波整流を行うと、ＤＣ３２５Ｖとなる。この電圧でのコンバータ回路を構成することができれば、負荷に印加される電圧を２４０Ｖも下げることが可能となる。しかしながら、単純に各Ｒ，Ｓ、Ｔ相と中性線Ｎ相間で全波整流回路を構成しても、負荷を介して互いの相からの電流が流れ込み、前記のような電圧をえることができないばかりか、３相４線式電源（３相Ｙ結線）１００における１次電流の連続性がなくなり、各相電流は不連続となり、力率は非常に低下する。
【００２４】
そこで本発明では、３相４線式電源（３相Ｙ結線）１００の出力において、各Ｒ，Ｓ，Ｔ相と中性線Ｎ相間に単相全波整流ブリッジ回路１０４ａ、１０４ｂ、１０４ｃにより全
波整流を行う。その出力は、チョッパ手段（トランジスタ）１０５ａ，１０５ｂ，１０５ｃにより断続電流化される。この電流はインダクタンス１０６ａ，１０６ｂ，１０６ｃへの電流となる。すなわち、チョッパ手段（トランジスタ）１０５ａ，１０５ｂ，１０５ｃがＯＮ状態での電流は、インダクタンス１０６ａ，１０６ｂ，１０６ｃを流れ、磁気エネルギーの形で蓄積される。
【００２５】
一方、チョッパ手段（トランジスタ）１０５ａ，１０５ｂ，１０５ｃがＯＦＦ状態となると、磁気エネルギーとして蓄積されたエネルギーは、電流の形でダイオード１０８ａ，１０８ｂ、１０８ｃのカソードを介して、負荷もしくは平滑用コンデンサ１０９の端子へ流れ込み、ダイオード１０７ａ、１０７ｂ、１０７ｃを介してもとのインダクタンス１０６ａ，１０６ｂ，１０６ｃへの電流となる。すなわち、本回路においては、チョッパ手段（トランジスタ）１０５ａ，１０５ｂ，１０５ｃのＯＮ状態およびＯＦＦ状態により、３つの電流ループを形成することになる。
【００２６】
モード１（初期状態）では、チョッパ手段（トランジスタ）１０５ａ，１０５ｂ，１０５ｃのＯＦＦ状態であり、各Ｒ，Ｓ，Ｔ相から電流は遮断されている。次のモード２では、チョッパ手段（トランジスタ）１０５ａ，１０５ｂ，１０５ｃがＯＮ状態であり、電源Ｒ，Ｓ，Ｔから単相全波整流ブリッジ回路１０４ａ、１０４ｂ、１０４ｃを介して、チョッパ手段（トランジスタ）１０５ａ，１０５ｂ，１０５ｃから、インダクタンス１０６ａ，１０６ｂ，１０６ｃを通じて、単相全波整流ブリッジ回路１０４ａ、１０４ｂ、１０４ｃの負端子から、電源Ｎへ帰るループで電流がながれ、その電流エネルギーの一部がインダクタンス１０６ａ，１０６ｂ，１０６ｃにＬｉ２の形で蓄積される。
【００２７】
次のモード３では、チョッパ手段（トランジスタ）１０５ａ，１０５ｂ，１０５ｃがＯＦＦ状態であり、インダクタンス１０６ａ，１０６ｂ，１０６ｃにＬｉ２の形で蓄積されたエネルギーが電気エネルギーとなり、ダイオード１０８ａ，１０８ｂ、１０８ｃ、負荷もしくは平滑用コンデンサ１０９を介して流れ、ダイオード１０７ａ、１０７ｂ、１０７ｃを介して、インダクタンス１０６ａ，１０６ｂ，１０６ｃに戻るループを形成する。通常は、このモード２とモード３を一定の周期で繰り返すことにより、インダクタンス１０６ａ，１０６ｂ，１０６ｃにおけるエネルギー蓄積と放出を繰り返すことになる。
【００２８】
このエネルギー蓄積と放出もしくは停止の割合により、負荷に供給する電力を可変することが可能となる。すなわち、負荷が消費する電力よりも大きな電力を放出するといわゆる昇圧コンバータ動作をおこない、負荷が消費する電力よりも低い電力を放出すると降圧コンバータ動作を行うことが可能となる。
【００２９】
また、ダイオード１０７ａ、１０７ｂ、１０７ｃおよびダイオード１０８ａ，１０８ｂ、１０８ｃは、各３相回路において互いに他の相からの電流が回りこむことを防止するもので、コンバータ側から負荷側へのみ電力を移動し、逆流を防止するものである。これにより、３相それぞれを中性線との間で電気的に分離した整流回路構成であっても、平滑用コンデンサ１０９において電流（電力）の重ねあわせが可能となっている。
【００３０】
図２に示した本発明における一実施例を示す回路において、所定の回路定数を設定した回路シミュレーション結果を図３〜図５示す。図３に示すように、１次電源電圧にほぼ同じ位相（力率１）で電流が流れている。インダクタンスＬ１に流れる電流は、トランジスタＱ１により断続される電流を示している。この波形は、キャリヤ周波数２０ＫＨｚでスイッチングされており、トランジスタＱ１のＯＮ時間比率は２０％の条件下でシミュレーションしている。図４は、Ｒ１における負荷電圧波形の起動時から安定時までの過渡状態を示す。また、図５においては、その拡大波形図をしめす。トランジスタＱ１のＯＮ時にインダクタＬ１に電流が増加方向でながれ、トランジスタＱ１のＯＦＦ時にその電流が減
少する。この繰り返し動作により、インダクタＬ１に流れる電流は三角波状の電流が流れ、そのインダクタンスＬ１に保持された電力エネルギーが負荷に流れる。ここで、負荷における電圧はトランジスタＱ１のスイッチング時間比により決定される。
【００３１】
また、チョッパ手段（トランジスタ）１０５ａ，１０５ｂ，１０５ｃを所定のＯＮ／ＯＦＦデュティ比で駆動することにより、上記のように所定の出力電圧を得ることが可能であるが、この各チョッパ手段の断続動作を同じタイミングでおこなっても、各Ｒ，Ｓ，Ｔ相の電流は高力率を維持できるものである。
【００３２】
以上のように、本実施の形態においては多相コンバータ回路を  中性線を有する多相電源（Ｙ結線電源）に接続され、各相と中性線間に独立した整流手段と前記整流手段からの出力を所定の周期で断続動作を行うチョッパ手段と前記チョッパ手段による制限電流が流れるインダクタンス手段とを備え、前記インダクタンス手段の出力を第二の整流手段を介して同一の負荷に接続することにより、チョッパ手段動作により負荷への出力電圧を制御可能となり、電源電圧の最大波高値電圧以下の出力電圧を供給することが可能となり、小型、低コスト、制御の容易な電力変換装置を提供することができる。
【００３３】
また、本実施の形態では多相チョッパ手段の断続動作を同じタイミングで行うことにより駆動回路が簡易で構成できるようになり、制御の容易性、信頼性が高い電力変換装置を実現することもできる。
【００３４】
また、本実施の形態の降圧動作時にはキャリヤ周期に対して通電率を適時選択することにより、負荷出力電圧が昇降圧制御が可能となり、負荷動作にマッチした電圧での駆動制御を実現することができる。
【００３５】
また、説明上相数については、３相４線式の場合について説明をおこなったが、より多くの多相交流電源においても同様の効果を得ることが可能である。
【００３６】
また、図６に示すようなチョッパ手段（トランジスタ）１０５ａ，１０５ｂ，１０５ｃの駆動方式をいわゆるソフトスイッチング駆動方式に変更することも可能である。同図において、図１に示した実施形態と同じの構成には、同一の符号を付して説明を略する。
【００３７】
ダイオード１０４ａの正出力端子は直列回路を構成するダイオード２００ａ、スイッチング手段（トランジスタ）２０１ａとおなじく直列回路を構成するスイッチング手段（トランジスタ）２０２ａ、ダイオード２０３ａが並列回路を構成しており、その中間点にコンデンサ２０４ａが接続されている。ソフトスイッチング回路動作は、文献「Ｋａｔｓｕｎｏｒｉ  Ｔａｎｉｇｕｃｈｉ，ｅｔ  ａｌ  ”Ｄｒｉｖｉｎｇ  Ｃｉｒｃｕｉｔ  ｆｏｒ  Ｓｉｎｇｌｅ−Ｐｌｕｓｅ  ｓｏｆｔ−Ｓｗｉｔｈｉｎｇ  ＰＦＣ  Ｃｏｎｖｅｒｔｅｒ”，ＰＣＣ−Ｏｓａｋａ  ２００２，ｐａｐｅｒ  ｐ．１２３２，２００２」などに記載されているコンバータ回路を適用した用ものであり、本実施例においても、ソフトスイッチングであり、同様の効果を得ることが可能である。
【００３８】
（実施の形態２）
図７は、本発明における第２の実施の形態を示す電力変換装置の主要回路図である。同図において、図１に示した第１の実施形態と同じの構成には、同一の符号を付して説明を略する。図２において、３００はチョッパ手段（トランジスタ）１０５ａ，１０５ｂ，１０５ｃを駆動する駆動回路を具備した電圧制御手段であり、この電圧制御手段３００は、負荷となる平滑用コンデンサ１０９の電圧を検出する複数の固定抵抗器から構成され、電圧分圧を行う電圧検出手段３０１およびコンバータ回路の出力電圧指示を電圧信号で設定する出力電圧指示手段３０２の誤差検出手段３０３からの信号に基づいてチョッパ手段（
トランジスタ）１０５ａ，１０５ｂ，１０５ｃへの駆動信号を生成する。すなわち、出力電圧指示値よりも実際の出力電圧値に差が生じている場合には電圧を補正するような方向でチョッパ手段（トランジスタ）１０５ａ，１０５ｂ，１０５ｃの駆動デュティを変更制御するものである。
【００３９】
本実施例においては、コンバータ出力を検出し、所定の出力電圧指示との誤差補正制御を行うことにより、オープンループ制御時よりも出力電圧の安定化を図ることが可能となるものである。
【００４０】
また、本実施例の形態では、電力変換装置の負荷装置としてインバータ駆動の電動機を用いることにより、電動機の運転条件や運転周波数に応じて、出力電圧を制御することが可能となり、小型、低コスト、制御の容易な電力変換装置であっても高効率な空調機システムを構成することができる。
【００４１】
また、本実施例の形態では、降圧コンバータ動作を行うことが可能であり、電源電圧の波高値よりも低いコンバータ出力電圧を構成することが可能となる。これにより、インバータ駆動用半導体素子、母線間素子、電動機巻き線などの構成要素の耐電圧を低電圧定格部品で構成でき、小型、低コストである電力変換装置を提供することができる。
【００４２】
また、本実施例の電力変換装置およびインバータ装置を負荷として圧縮機駆動用の電動機を具備した空気調和機においては、従来の同様の各種法規対応した圧縮機駆動用制御装置に比べて大幅に小型化することが可能となり、図８に示すように空気調和機（特に室外機）に適用することにより、圧縮機４００の駆動用の電動機などを負荷とするインバータ装置４０１（いわゆる電装品）を小型化することが可能となり、限られた室外機のスペースにおいて送風機４０２や送風回路や熱交換器４０３を効率よく大型化することができ、冷凍サイクルの運転効率を高めることが可能となり、製品としての効率を高めることができ、省エネルギーに貢献することができる。
【産業上の利用可能性】
【００４３】
以上のように、本発明にかかるＹ結線多相交流電源対応の電力変換装置は、３相Ｙ結線でありながらコンバータ出力電圧を小型化、低コスト化、高信頼性かつ容易な制御性を具現化することが可能となるので、空気調和機、産業用工作機器、エレベータ等の電動機負荷用途をはじめＹ結線電源に接続される電力変換装置等にも適用できる。
【図面の簡単な説明】
【００４４】
【図１】本発明の実施の形態１におけるＹ結線多相交流電源対応の電力変換装置の主要な回路構成図
【図２】本発明の実施の形態１における電力変換装置における回路シミュレーション回路図
【図３】本発明の実施の形態１における電力変換装置における回路シミュレーション結果を示す図
【図４】本発明の実施の形態１における電力変換装置における回路シミュレーション結果を示す図
【図５】本発明の実施の形態１における電力変換装置における回路シミュレーション結果を示す図
【図６】本発明の実施の形態１においてソフトスイッチング駆動回路を用いたＹ結線多相交流電源対応の電力変換装置の主要な回路構成図
【図７】本発明の実施の形態２におけるＹ結線多相交流電源対応の電力変換装置の主要な回路構成図
【図８】本発明の実施の形態２における電力変換装置を備えた空気調和機の概要図
【図９】従来のＹ結線多相交流電源対応の電力変換装置の主要な回路構成図
【符号の説明】
【００４５】
１００  多相電源（Ｙ結線電源）
１０４ａ，１０４ｂ，１０４ｃ  整流手段
１０５ａ，１０５ｂ，１０５ｃ  チョッパ手段
１０６ａ，１０６ｂ，１０６ｃ  インダクタンス手段
１０７ａ、１０７ｂ、１０７ｃ，１０８ａ，１０８ｂ，１０８ｃ  第二の整流手段
【図１】
2010172151.tif 000003
【図２】
2010172151.tif 000004
【図３】
2010172151.tif 000005
【図４】
2010172151.tif 000006
【図５】
2010172151.tif 000007
【図６】
2010172151.tif 000008
【図７】
2010172151.tif 000009
【図８】
2010172151.tif 000010
【図９】
2010172151.tif 000011